(57)【要約】  本発明は、ＬＥＤ街灯を提供する。ＬＥＤ街灯は、底面に光が放出される光放出口を有し、内側に収容空間が設けられた一体型のハウジングと、ハウジングの光放出口を通して収容空間に挿入されて固定される電源供給部と、ハウジングの光放出口を通して収容空間に挿入されて固定されることにより電源供給部が位置する収容空間の一部とその下部の収容空間とを分離し、底面から光を反射する反射部と、反射部の下部側においてハウジングの内側面に固定して結合され、実装された複数のＬＥＤに電源を供給する基板と、ハウジングの光放出口を覆うカバー部とを有する。本発明は、単一の構造でケースを製造し、光放出口を通して電源供給部、ＬＥＤが実装された基板、及び反射板のような部品をケース内に組み立てることができるように構成することにより、製造コストを最小化でき、したがって、ＬＥＤ街灯の商用化を進めることができる。
2016532273.tif 000002
【特許請求の範囲】
【請求項１】
底面に光が放出される光放出口を有し、内側に収容空間が設けられた一体型のハウジングと、
前記ハウジングの前記光放出口を通して前記収容空間に挿入されて固定される電源供給部と、
前記ハウジングの前記光放出口を通して前記収容空間に挿入されて固定されることにより前記電源供給部が位置する前記収容空間の一部とその下部の収容空間とを分離し、底面から光を反射する反射部と、
前記反射部の下部側において前記ハウジングの内側面に固定して結合され、実装された複数のＬＥＤに電源を供給する基板と、
前記ハウジングの前記光放出口を覆うカバー部と、
を有することを特徴とするＬＥＤ街灯。
【請求項２】
前記ハウジングは、
前記電源供給部の結合位置の外側に設けられることにより前記電源供給部の熱を放出する第１の放熱フィンと、
前記基板の結合位置の外側に設けられることにより前記基板の熱を放出する第２の放熱フィンと、
を有することを特徴とする請求項１に記載のＬＥＤ街灯。
【請求項３】
前記電源供給部を固定する固定板をさらに含むことを特徴とする請求項１又は請求項２に記載のＬＥＤ街灯。
【請求項４】
前記反射部は、前記ＬＥＤから発散する光を反射し、前記反射した光を前記光放出口を通して放出し、配光に従って半球型反射パターンを有することを特徴とする請求項３に記載のＬＥＤ街灯。
【請求項５】
支柱の一端が挿入されるように前記支柱に結合され、前記ハウジングの後端が結合され固定されるフランジ部をさらに含むことを特徴とする請求項３に記載のＬＥＤ街灯。
【請求項６】
支柱の内部を通して布設された電線を固定する固定部がフランジ部に結合されることを特徴とする請求項３に記載のＬＥＤ街灯。
【請求項７】
前記固定部は、前記電線を囲んでいる弾性体と、前記弾性体を引き締めることにより前記電線の離脱を防止するナットと、を有することを特徴とする請求項６に記載のＬＥＤ街灯。
【請求項８】
前記固定部は、前記フランジ部の結合状態で電気的な接点部を提供することを特徴とする請求項６に記載のＬＥＤ街灯。
【発明の詳細な説明】
【技術分野】
【０００１】
本発明は、発光ダイオード（ＬＥＤ）街灯に関し、特に、設置及び分離が容易であり、部品の数を最小化することにより製造コストを減少させることができるＬＥＤ街灯に関する。
【背景技術】
【０００２】
最近では、電力の消費量が増加しているので、韓国でもブラックアウトが発生するおそれが高くなり、したがって、電力消費量が多い時に電力消費を減少させることができる様々な政策が提案されている。例えば、建物のエネルギー消費の総量が基準値を超過する場合に課徴金を課すか、又はソウル市の昼休みの変更、服装規定の変更、地下鉄の運行間隔の調整などのような様々な方法が施行されている。
【０００３】
したがって、電力消費量を減少させるための方法の１つとして既存の街灯より格段に低い電力消費を有するＬＥＤを使用する街灯が提案される。しかしながら、ＬＥＤ街灯が相対的に既存の街灯に比べて高いために、ＬＥＤ街灯の商用化に難しさがある。
【０００４】
従来のＬＥＤ街灯の例では、２０１１年３月１８日に登録された韓国特許登録第１０−１０２４９３８号明細書（優秀な発光及び放熱を有するＬＥＤ街灯）を挙げることができる。
【０００５】
従来技術の概略的な構造は、上部及び下部が個別に製作され組み立てられるケース、ケース内に設けられる電源供給部、ＬＥＤランプ、及び放熱板を含み、ＬＥＤ街灯を支柱に接続するための固定部がケースの上部の後端に設けられる。
【０００６】
したがって、従来のＬＥＤ街灯の場合に、外観を構成するケースの上部及び下部が個別に製造され、ＬＥＤランプ及び電源供給部のような構成部品は、ケースの内に固定して設置された後に、ケースの上部及び下部は、相互に結合される。
【０００７】
ＬＥＤ街灯が既存の街灯に比べて単価が高い理由は、光源の価格差及び交流（ＡＣ）電源を直流（ＤＣ）電源に変換し、変換されたＤＣ電源をＬＥＤに供給する電源供給部の追加のような基本的なかつ構造的な理由もあるが、ケースの上部及び下部の個別的な製造、ケースへの部品の装着及び維持保守のためのカバーの個別的な生産、ケースの上部及び下部への個別の構成部品の固定された設置、及びケースの上部及び下部を相互に組み立てるための大量の作業時間の理由もある。
【０００８】
また、ＬＥＤ街灯を支柱に結合する作業は、高所で行われ、作業者が地上から支柱の内部を通してＬＥＤ街灯が設置される支柱の上端まで接続される電線自体の荷重を保持することが難しく、ＬＥＤ街灯の重さにより作業が容易でないという問題点があった。
【発明の概要】
【発明が解決しようとする課題】
【０００９】
本発明の目的は、少なくとも上述した問題点及び／又は不都合に取り組み、少なくとも以下の便宜を提供することにある。すなわち、本発明の目的は、個別に製造される部品の数を減少させ、組立てにかかる時間を短縮できるＬＥＤ街灯を提供することにある。
【００１０】
また、本発明の別の目的は、支柱に容易に結合されることができるＬＥＤ街灯を提供することにある。
【課題を解決するための手段】
【００１１】
上記のような目的を達成するために、本発明に従うＬＥＤ街灯は、底面に光が放出される光放出口を有し、内側に収容空間が設けられた一体型のハウジングと、前記ハウジングの光放出口を通して前記収容空間に挿入されて固定される電源供給部と、前記ハウジングの光放出口を通して前記収容空間に挿入されて固定されることにより前記電源供給部が位置する収容空間の一部とその下部の収容空間とを分離し、底面から光を反射する反射部と、前記反射部の下部側において前記ハウジングの内側面に固定して結合され、実装された複数のＬＥＤに電源を供給する基板と、前記ハウジングの前記光放出口を覆うカバー部と、を含むことを特徴とする。
【発明の効果】
【００１２】
本発明によるＬＥＤ街灯は、単一の構造で製造されるケースを有し、光放出口を通して電源供給部、ＬＥＤが実装された基板、及び反射板のような部品をケース内に組み立てることができるように構成されることにより、製造コストを最小化することができ、したがって、ＬＥＤ街灯の商用化を進めることができるという長所がある。
【００１３】
また、本発明によるＬＥＤ街灯は、支柱の一端から支柱の内側に設けられる電線の荷重を支持するブラケットを設置した後に、ブラケットとケースとを相互に結合することにより、作業者が電線の荷重及びＬＥＤ街灯の荷重を同時に受けつつ作業しないようにすることによりＬＥＤ街灯の設置をより容易に行うことができるという長所がある。
【００１４】
本発明の実施形態の上述した及び他の様相、特徴、及び利点は、以下の添付図面を併用した後述の詳細な説明から、より一層明らかになる。
【図面の簡単な説明】
【００１５】
【図１】本発明の望ましい実施形態によるＬＥＤ街灯の分解斜視図である。
【図２】本発明の望ましい実施形態によるＬＥＤ街灯の結合状態を示す平面図である。
【図３】図２のＡ−Ａ線による断面図である。
【図４】本発明の望ましい実施形態によるＬＥＤ街灯の結合手順を示す断面図である。
【図５】本発明の望ましい実施形態によるＬＥＤ街灯の結合手順を示す断面図である。
【図６】本発明の望ましい実施形態によるＬＥＤ街灯の結合手順を示す断面図である。
【図７】本発明を支柱に設置する手順を示す断面図である。
【図８】本発明を支柱に設置する手順を示す断面図である。
【図９】本発明にそれぞれ適用される固定部の他の構成を示す正面図である。
【図１０】本発明にそれぞれ適用される固定部の他の構成を示す正面図である。
【発明を実施するための形態】
【００１６】
以下では、本発明によるＬＥＤ照明装置について添付の図面を参照して詳細に説明する。
【００１７】
図１は、本発明の望ましい実施形態によるＬＥＤ街灯を示す分解斜視図であり、図２は、ＬＥＤ街灯の結合状態を示す平面図であり、図３は、図２のＡ−Ａ線による断面図である。
【００１８】
図１乃至図３を参照すると、本発明の望ましい実施形態によるＬＥＤ街灯は、底面に光放出口を有し、内側に収容空間が設けられたハウジング１０と、外部からの交流電源を直流電源に変換して供給する電源供給部２０と、電源供給部２０を固定する固定板３０と、固定板３０の下部側においてハウジング１０の内部空間に挿入されることにより光を反射する反射部４０と、ハウジング１０の後端部の内部側面に取り付けられることにより電源供給部２０から供給された直流電源を実装された複数のＬＥＤに供給する基板８０と、ハウジング１０の底面上の光放出口を遮断するように結合されるカバー部５０と、支柱が挿入される状態でハウジング１０の後端に結合されるフランジ部７０と、フランジ部７０に結合されることにより支柱内の電線を固定する固定部６０と、を含む。
【００１９】
図４乃至図６は、本発明の望ましい実施形態によるＬＥＤ街灯の結合手順を示す断面図であり、図１乃至図３とともに図４乃至図６を参照して、本発明の望ましい実施形態によるＬＥＤ街灯の構成及び動作についてより詳細に説明する。
【００２０】
ハウジング１０は、その底面に光放出口１３が設けられ、その内側に収容空間が設けられる一体型構造を有する。ハウジング１０の平面形状を確認することができる図２に示すように、ハウジング１０は、水平幅が垂直幅より大きい楕円形を有する。これは、街灯が道路の長さ方向に対してより広い形状を有する配光を提供しなければならないので、ハウジング１０の形状は、様々に変更され実施されることができる。
【００２１】
しかしながら、ハウジング１０は、その内部に収容空間を含み、その底面の全体が開放された光放出口１３が形成され、設置状態で前端の上側の外面に第１の放熱フィン１１が形成され、その後端には、第２の放熱フィン１２が形成される構造を有する。
【００２２】
光放出口１３は、後述するＬＥＤの光が放出されることにより道路を照明できるようにし、電源供給部２０、固定板３０、反射部４０、及びＬＥＤを実装した基板８０がハウジング１０内の収容空間に固定されて設置されることができるようにする組立作業のための通路として機能する。
【００２３】
図４に示すように、第１の放熱フィン１１と接するハウジング１０の内部の収容空間には、電源供給部２０が光放出口１３を通して挿入されて固定される。このとき、電源供給部２０に交流電源を供給する電線は、後端部側に延長することにより外部に露出され、固定部６０により固定された電線に接続される。
【００２４】
また、固定板３０は、光放出口１３を通して挿入されることにより、電源供給部２０を確実に固定するとともに、ハウジング１０の下部領域及び上部領域は、固定板３０を中心に分割される。このように、領域を分割する理由は、水分及びホコリなどの流入を防止するためである。
【００２５】
電源供給部２０は、動作過程の間に熱を発生させるが、この熱は、ハウジング１０に一体で形成された第１の放熱フィン１１を通して放熱される。
【００２６】
その後に、図５に示すように、反射部４０は、固定板３０が挿入されるハウジング１０の光放出口１３を通して挿入されて固定され、基板８０は、第２の放熱フィン１２と接するハウジング１０の内側面に固定される。
【００２７】
反射部４０は、基板８０に実装された複数のＬＥＤ（図示せず）の光を反射することにより光放出口１３を通して放出し、光効率を高めるためにＬＥＤの光が電源供給部２０又は固定板３０に流入しないようにハウジング１０の収容空間を横方向に完全に遮断する構造は、反射部４０として使用されることができる。
【００２８】
図１及び図３で確認することができるように、反射部４０が配光のためにその内側に形成された異なる曲率を有する複数の半球型パターンを有するが、反射部４０は、一例であるだけであり、効率的な配光のために様々な形状で具現されることができる。
【００２９】
図面には図示しなかったが、電源供給部２０の直流電源が供給される電線が基板８０に接続され、電源が供給されることによりＬＥＤから光を放出する。公知の通りに、ＬＥＤにより熱が発生し、ＬＥＤの熱は、第２の放熱フィン１２を通して放出される。
【００３０】
その後に、図６に示すように、カバー部５０は、光放出口１３に結合される。カバー部５０は、所望する配光を形成できるレンズであるか、拡散板であるか、又は異物の流入を防止するための透明板であり得る。
【００３１】
このように、本発明において、道路を照明するために必須に使用されるべき電源供給部２０、反射部４０、及び基板８０は、ハウジング１０の光放出口１３を通して挿入されて固設されることができ、したがって、ハウジング１０は、一体に形成されて製造されることができ、従来の上部ハウジング及び下部ハウジングがそれぞれ製造されて組み立てられる方式に比べて製造コストを大幅に節減できる。
【００３２】
また、組立工程にかかる時間を短縮させ、これにより、生産性を向上させることにより製造コストを節減できる。
【００３３】
図７及び図８は、上記の通りに組み立てられた構造を支柱に設置する手順を示す断面図である。
【００３４】
図７を参照すると、作業者は、支柱９０の内に布設された電線９１をフランジ部７０に結合された固定部６０に挿入して固定した状態で、支柱９０の一端をフランジ部７０に挿入して固定する。
【００３５】
固定部６０は、電線９１を囲んでいる弾性体とナットとの引き締めにより弾性体が中心方向に加圧されることにより、電線９１が離脱されないようにする構造を使用することができる。また、電線９１を固定できる構造である場合に、その構造は、制限されず、本発明に適用されることができる。
【００３６】
電線９１は、地上又は地下に埋設され、支柱９０の内部に沿って高所に延長し、したがって、大きな荷重を有する。しかしながら、上述したように、電線９１が固定部６０を通して固定される場合に、作業者は、電線９１の荷重を感じることなく楽に作業を行うことができる。
【００３７】
図８に示すように、図４乃至図６に示す過程で組み立てられたハウジング１０の後端をフランジ部７０に向かうようにし、電源供給部２０に交流電源を供給する電線を固定部６０により固定された電線９１に接続し、ハウジング１０をフランジ部７０にボルト７１を通して結合して固定する。
【００３８】
このような過程を通して、作業者は、ＬＥＤ街灯をより容易に設置することができる。特に、支柱９０の直径が異なる場合に、ＬＥＤ街灯は、ハウジング１０の構造を変更せずフランジ部７０だけを他のものに置き換えることにより設置されることができる。したがって、ハウジング１０は、単一のデザインで製造されることができ、これにより、設計の変更による製造コストの増加を防止することができる。
【００３９】
図９は、本発明の他の実施形態によるフランジ部７０及び固定部６０を示す正面図である。
【００４０】
図９を参照すると、固定部６０は、第１の中央電極６１と、第１の電極６１を囲んでいる絶縁体６２と、絶縁体６２の周囲に設けられた第２の電極６３とを含み、これにより、固定部６０とハウジング１０との間の接点が電線９１に接続されることによりなされることができる。
【００４１】
上記のように構成された接点は、ハウジング１０の後端にも同一に設けられ、ハウジング１０とフランジ部７０とを相互に結合することにより、電線９１を通して供給される交流電源がハウジング１０内に固設された電源供給部２０に供給されることができるようにする。
【００４２】
図１０は、本発明の他の実施形態によるフランジ部７０及び固定部６０を示す正面図である。図１０を参照すると、ハウジング１０に接する固定部６０は、ソケット６４の形状で形成され、電線９１は、それに接続され、ハウジング１０から突出されるプラグは、フランジ部７０及びハウジング１０が相互に結合される時に固定部６０に挿入され、これにより、ハウジング１０及びフランジ部７０を相互に結合することにより、電線を通して供給される交流電源がハウジング１０内に固設された電源供給部２０に供給されることができるようにする。
【００４３】
以上、本発明を具体的な実施形態を参照して詳細に説明してきたが、様々な変更及び修正が可能であるということは、当業者には明らかであり、本発明の範囲は、上述の実施形態に限定されるべきではなく、特許請求の範囲の記載及びこれと均等なものの範囲内で定められるべきである。
【符号の説明】
【００４４】
１０  ハウジング
１１  第１の放熱フィン
１２  第２の放熱フィン
１３  光放出口
２０  電源供給部
３０  固定板
４０  反射部
５０  カバー部
６０  固定部
７０  フランジ部
８０  基板
９０  支柱
９１  電線
【図１】
2016532273.tif 000003
【図２】
2016532273.tif 000004
【図３】
2016532273.tif 000005
【図４】
2016532273.tif 000006
【図５】
2016532273.tif 000007
【図６】
2016532273.tif 000008
【図７】
2016532273.tif 000009
【図８】
2016532273.tif 000010
【図９】
2016532273.tif 000011
【図１０】
2016532273.tif 000012
【国際調査報告】
2016532273.tif 000013
2016532273.tif 000014
2016532273.tif 000015
2016532273.tif 000016